(57)【要約】【課題】メモリに記録された画像の概要を迅速に表示することができる撮像装置、画像表示装置及びそのプログラムを実現する。【解決手段】撮影モードにおいては、シャッタボタンが押下されると静止画撮影処理を行い（Ｓ３）、該撮影処理により得られた撮影画像データが今日初めて撮影されたものであるか否かの判断を行う（Ｓ４）。今日初めて撮影されたものである場合は、今日の日付に対応するフォルダを作成して、該撮影処理により得られた撮影画像データの画像ファイルを記録するとともに（Ｓ５）、該画像をその日の代表画像とすべく、該画像ファイルのパス名、ファイル名、サムネイル画像をインデックスとして「ＤＡＴＥ．ＤＡＴ」というファイルに記録させる（Ｓ６）。そして、ＤＡＴＥ．ＤＡＴに記録されているサムネイル画像を複数表示させることにより、各撮影日の代表画像を迅速に表示させることができる。【選択図】  図２
2008054128.tif 000002
【特許請求の範囲】
【請求項１】
被写体を撮像する撮像手段と、
前記撮像手段により撮像された画像データに基づいて画像ファイルを生成し、該生成した画像ファイルを何れかのグループに関連付けて記録手段に記録する記録制御手段と、
前記記録制御手段により関連付けて記録された画像ファイルとグループとに基づいて、各グループの代表画像を、該記録されている画像ファイルの中から決定する決定手段と、
前記決定手段により決定されたグループの代表画像となる画像ファイルの所在情報を少なくともインデックスデータとして前記記録手段に記録するインデックス記録制御手段と、
前記インデックス記録制御手段により記録されたインデックスデータに基づいて、各グループの代表画像を表示手段に表示させる表示制御手段と、
を備えたことを特徴とする撮像装置。
【請求項２】
前記グループは、
撮影日毎に分けられたグループであり、
前記記録制御手段は、
前記撮像手段により撮像された画像データに基づいて生成された画像ファイルを、該画像ファイルの撮影日に対応するグループに関連付けて記録することを特徴とする請求項１記載の撮像装置。
【請求項３】
前記決定手段は、
前記記録制御手段により各グループと関連付けて記録されている画像ファイルのうち、各グループの中で一番最初に撮影された画像ファイルを、該グループの代表画像として決定することを特徴とする請求項１又は２記載の撮像装置。
【請求項４】
前記決定手段は、
ユーザによって選択された画像ファイルを、該画像ファイルと関連付けて記録されているグループの代表画像として決定することを特徴とする請求項１又は２記載の撮像装置。
【請求項５】
前記インデックス記録制御手段は、
代表画像となる画像ファイルの所在情報を示すインデックスデータとして、少なくとも該画像ファイルのパス名及びファイル名を記録することを特徴とする請求項１乃至４の何れかに記載の撮像装置。
【請求項６】
前記記録制御手段は、
前記撮像手段により撮像された画像データと、該画像データを縮小した縮小画像データとに基づいて画像ファイルを生成して記録し、
前記表示制御手段は、
前記インデックス記録制御手段により記録されたインデックステーブルに記録されている代表画像の所在情報に基づいて、該代表画像の画像ファイルの縮小画像データを前記記録手段から読出して表示させることにより、各グループの代表画像を表示させることを特徴とする請求項１乃至５の何れかに記載の撮像装置。
【請求項７】
前記インデックス記録制御手段は、
前記決定手段により決定されたグループの代表画像となる画像ファイルの所在情報とともに、該画像ファイルの画像データを縮小した縮小画像データをインデックスデータとして記録し、
前記表示制御手段は、
前記インデックスデータの縮小画像データを表示させることにより、各グループの代表画像を表示させることを特徴とする請求項１乃至５の何れかに記載の撮像装置。
【請求項８】
前記表示制御手段により表示された代表画像のうち任意の代表画像を指定する指定手段と、
前記指定手段により指定された代表画像に対応する画像ファイルの画像データを前記記録手段から読み出して全面表示させる全面表示制御手段と、
前記全面表示制御手段により全面表示される画像データのコマ送りを指示する指示手段と、
全面表示制御手段は、
前記指示手段によりコマ送りが指示された場合は、現在表示されている画像データの次に撮影された画像ファイルの画像データを前記記録手段から読み出して表示させることを特徴とする請求項１乃至６の何れかに記載の撮像装置。
【請求項９】
前記表示制御手段は、
前記指定手段により指定された代表画像のグループと関連付けて記録されている画像ファイルの画像データを表示させることを特徴とする請求項８記載の撮像装置。
【請求項１０】
前記表示制御手段により表示された代表画像のうち任意の代表画像を指定する指定手段を備え、
前記指定手段により指定された代表画像のグループと関連付けられている画像ファイルの画像を一覧表示させることを特徴とする請求項１乃至６の何れかに記載の撮像装置。
【請求項１１】
撮影された画像データの画像ファイルをグループ毎に分けて記録している記録手段と、前記記録手段に記録されている各グループの代表画像を表示させる表示制御手段と、を備えた画像表示装置であって、
前記記録手段は、
更に、各グループ毎の代表画像となる画像ファイルの所在情報を記録したインデックスデータが記録されており、
前記表示制御手段は、
前記記録手段に記録されている前記インデックスデータを用いて、各グループの代表画像を表示手段に表示させることを特徴とする画像表示装置。
【請求項１２】
前記表示制御手段は、
前記インデックスデータに記録されている代表画像となる画像ファイルの所在情報に基づいて、代表画像を前記記録手段から読み出して表示させることを特徴とする請求項１１記載の画像表示装置。
【請求項１３】
前記インデックスデータは、
代表画像となる画像の画像ファイルの所在情報とともに、該画像ファイルの画像データを縮小した縮小画像も一緒に記録されており、
前記表示制御手段は、
前記インデックスデータに記録されている、縮小画像を表示させることにより各グループ毎の代表画像を表示させることを特徴とする請求項１１記載の画像表示装置。
【請求項１４】
被写体を撮像する撮像処理と、
前記撮像処理により撮像された画像データに基づいて画像ファイルを生成し、該生成した画像ファイルを何れかのグループに関連付けて記録媒体に記録する記録処理と、
前記記録処理により関連付けて記録された画像ファイルとグループとに基づいて、各グループの代表画像を、該記録されている画像ファイルの中から決定する決定処理と、
前記決定処理により決定されたグループの代表画像となる画像ファイルの所在情報を少なくともインデックスデータとして前記記録媒体に記録するインデックス記録処理と、
前記インデックス記録処理により記録されたインデックスデータに基づいて、各グループの代表画像を表示させる表示処理と、
を含み、上記各処理をコンピュータで実行させることを特徴とするプログラム。
【請求項１５】
撮影された画像データの画像ファイルをグループ毎に分けて記録している記録手段を備えた画像表示装置を実行させるためのプログラムであって、
前記記録手段には、更に、各グループ毎の代表画像となる画像ファイルの所在情報を記録したインデックスデータが記録されており、該記録手段に記録されている前記インデックスデータを用いて、各グループの代表画像を表示手段に表示させることを特徴とするプログラム。
【発明の詳細な説明】
【技術分野】
【０００１】
本発明は、撮像装置、画像表示装置及びそのプログラムに係り、詳しくは、画像検索に良好な画像表示を行う撮像装置、画像表示装置及びそのプログラムに関する。
【背景技術】
【０００２】
撮像装置、例えば、デジタルカメラにおいては、記録媒体の記録容量が増大したことに伴い、大量の画像データを記録することができるが、その分、自分が所望する画像の検索に時間がかかってしまうという問題点がある。
また、ユーザが、メモリに記録されている画像の概要を容易に知ることが可能なように、撮影日毎に撮影画像データを振り分け、各撮影日の代表画像を１枚選択し、該選択した各撮影日の代表画像をカレンダー表示させるという技術が登場した。（特許文献１）。そして、ある代表画像を選択すると、該代表画像の撮影日に撮影された撮影画像データをマルチ表示させることにより、画像の検索が容易になる。
【０００３】
【特許文献１】公開特許公報  特開２００４−２６０７１０
【発明の開示】
【発明が解決しようとする課題】
【０００４】
しかしながら、上記技術によれば、以下のような問題点が生じてしまう。
例えば、図７に示すようなディレクトリで、各フォルダ「×××ＡＡＡＡ」に撮影日毎にそれぞれ撮影画像データが振り分けられているとする。
この場合、各フォルダ、「１００ＡＡＡＡ」、「１０１ＡＡＡＡ」、「１０３ＡＡＡＡ」のフォルダごとに代表画像である撮影画像データがどこにあるかを探しにいかなければならず、代表画像データの検索に時間が経ってしまい、迅速に代表画像データを表示させることができないという問題点がある。
【０００５】
そこで本発明は、かかる従来の問題点に鑑みてなされたものであり、メモリに記録されている画像の概要を迅速に表示することができる撮像装置、画像表示装置及びそのプログラムを提供することを目的とする。
【課題を解決するための手段】
【０００６】
上記目的達成のため、請求項１記載の発明による撮像装置は、被写体を撮像する撮像手段と、
前記撮像手段により撮像された画像データに基づいて画像ファイルを生成し、該生成した画像ファイルを何れかのグループに関連付けて記録手段に記録する記録制御手段と、
前記記録制御手段により関連付けて記録された画像ファイルとグループとに基づいて、各グループの代表画像を、該記録されている画像ファイルの中から決定する決定手段と、
前記決定手段により決定されたグループの代表画像となる画像ファイルの所在情報を少なくともインデックスデータとして前記記録手段に記録するインデックス記録制御手段と、
前記インデックス記録制御手段により記録されたインデックスデータに基づいて、各グループの代表画像を表示手段に表示させる表示制御手段と、
を備えたことを特徴とする。
【０００７】
また、例えば、請求項２に記載されているように、前記グループは、
撮影日毎に分けられたグループであり、
前記記録制御手段は、
前記撮像手段により撮像された画像データに基づいて生成された画像ファイルを、該画像ファイルの撮影日に対応するグループに関連付けて記録するようにしてもよい。
【０００８】
また、例えば、請求項３に記載されているように、前記決定手段は、
前記記録制御手段により各グループと関連付けて記録されている画像ファイルのうち、各グループの中で一番最初に撮影された画像ファイルを、該グループの代表画像として決定するようにしてもよい。
【０００９】
また、例えば、請求項４に記載されているように、前記決定手段は、
ユーザによって選択された画像ファイルを、該画像ファイルと関連付けて記録されているグループの代表画像として決定するようにしてもよい。
【００１０】
また、例えば、請求項５に記載されているように、前記インデックス記録制御手段は、
代表画像となる画像ファイルの所在情報を示すインデックスデータとして、少なくとも該画像ファイルのパス名及びファイル名を記録するようにしてもよい。
【００１１】
また、例えば、請求項６に記載されているように、前記記録制御手段は、
前記撮像手段により撮像された画像データと、該画像データを縮小した縮小画像データとに基づいて画像ファイルを生成して記録し、
前記表示制御手段は、
前記インデックス記録制御手段により記録されたインデックステーブルに記録されている代表画像の所在情報に基づいて、該代表画像の画像ファイルの縮小画像データを前記記録手段から読出して表示させることにより、各グループの代表画像を表示させるようにしてもよい。
【００１２】
また、例えば、請求項７に記載されているように、前記インデックス記録制御手段は、
前記決定手段により決定されたグループの代表画像となる画像ファイルの所在情報とともに、該画像ファイルの画像データを縮小した縮小画像データをインデックスデータとして記録し、
前記表示制御手段は、
前記インデックスデータの縮小画像データを表示させることにより、各グループの代表画像を表示させるようにしてもよい。
【００１３】
また、例えば、請求項８に記載されているように、前記表示制御手段により表示された代表画像のうち任意の代表画像を指定する指定手段と、
前記指定手段により指定された代表画像に対応する画像ファイルの画像データを前記記録手段から読み出して全面表示させる全面表示制御手段と、
前記全面表示制御手段により全面表示される画像データのコマ送りを指示する指示手段と、
全面表示制御手段は、
前記指示手段によりコマ送りが指示された場合は、現在表示されている画像データの次に撮影された画像ファイルの画像データを前記記録手段から読み出して表示させるようにしてもよい。
【００１４】
また、例えば、請求項９に記載されているように、前記表示制御手段は、
前記指定手段により指定された代表画像のグループと関連付けて記録されている画像ファイルの画像データを表示させるようにしてもよい。
【００１５】
また、例えば、請求項１０に記載されているように、前記表示制御手段により表示された代表画像のうち任意の代表画像を指定する指定手段を備え、
前記指定手段により指定された代表画像のグループと関連付けられている画像ファイルの画像を一覧表示させるようにしてもよい。
【００１６】
上記目的達成のため、請求項１１記載の発明による画像表示装置は、撮影された画像データの画像ファイルをグループ毎に分けて記録している記録手段と、前記記録手段に記録されている各グループの代表画像を表示させる表示制御手段と、を備えた画像表示装置であって、
前記記録手段は、
更に、各グループ毎の代表画像となる画像ファイルの所在情報を記録したインデックスデータが記録されており、
前記表示制御手段は、
前記記録手段に記録されている前記インデックスデータを用いて、各グループの代表画像を表示手段に表示させることを特徴とする。
【００１７】
また、例えば、請求項１２に記載されているように、前記表示制御手段は、
前記インデックスフォルダに記録されている代表画像となる画像ファイルの所在情報に基づいて、代表画像を前記記録手段から読み出して表示させるようにしてもよい。
【００１８】
また、例えば、請求項１３に記載されているように、前記インデックスフォルダは、
代表画像となる画像の画像ファイルの所在情報とともに、該画像ファイルの画像データを縮小した縮小画像も一緒に記録しており、
前記表示制御手段は、
前記インデックスフォルダに記録されている、縮小画像を表示させることにより各撮影日の代表画像を表示させるようにしてもよい。
【００１９】
上記目的達成のため、請求項１４記載の発明によるプログラムは、被写体を撮像する撮像処理と、
前記撮像処理により撮像された画像データに基づいて画像ファイルを生成し、該生成した画像ファイルを何れかのグループに関連付けて記録媒体に記録する記録処理と、
前記記録処理により関連付けて記録された画像ファイルとグループとに基づいて、各グループの代表画像を、該記録されている画像ファイルの中から決定する決定処理と、
前記決定処理により決定されたグループの代表画像となる画像ファイルの所在情報を少なくともインデックスデータとして前記記録媒体に記録するインデックス記録処理と、
前記インデックス記録処理により記録されたインデックスデータに基づいて、各グループの代表画像を表示させる表示処理と、
を含み、上記各処理をコンピュータで実行させることを特徴とする。
【００２０】
上記目的達成のため、請求項１５記載の発明によるプログラムは、撮影された画像データの画像ファイルをグループ毎に分けて記録している記録手段を備えた画像表示装置を実行させるためのプログラムであって、
前記記録手段には、更に、各グループ毎の代表画像となる画像ファイルの所在情報を記録したインデックスデータが記録されており、該記録手段に記録されている前記インデックスデータを用いて、各グループの代表画像を表示手段に表示させることを特徴とする。
【発明の効果】
【００２１】
本発明によれば、各グループ毎に画像ファイルを記録するとともに各グループの代表画像となる画像ファイルの所在情報を少なくともインデックスデータとして記録し、該記録されたインデックスデータに基づいて、各グループの代表画像を表示させるようにしたので、メモリに記録されている画像の概要を迅速に表示させることができる。
【発明を実施するための最良の形態】
【００２２】
以下、本実施の形態について、本発明の撮像装置をデジタルカメラに適用した一例として図面を参照して詳細に説明する。
[実施の形態]
【００２３】
Ａ．デジタルカメラの構成
図１は、本発明の動画処理装置を実現するデジタルカメラ１の電気的な概略構成を示すブロック図である。
デジタルカメラ１は、撮影レンズ２、レンズ駆動ブロック３、絞り４、ＣＣＤ５、ドライバ６、ＴＧ（timing generator）７、ユニット回路８、画像生成部９、ＣＰＵ１０、キー入力部１１、メモリ１２、ＤＲＡＭ１３、フラッシュメモリ１４、画像表示部１５、バス１６を備えている。
【００２４】
撮影レンズ２は、複数のレンズ群から構成されるフォーカスレンズ２ｂ、ズームレンズ２ａ等を含む。そして、撮影レンズ２にはレンズ駆動ブロック３が接続されている。レンズ駆動ブロック３は、フォーカスレンズ２ｂ、ズームレンズ２ａをそれぞれ光軸方向に沿って駆動させるフォーカスモータ、ズームモータと、ＣＰＵ１０から送られてくる制御信号にしたがって、フォーカスモータ、ズームモータを駆動させるフォーカスモータドライバ、ズームモータドライバから構成されている（図示略）。
【００２５】
絞り４は、図示しない駆動回路を含み、駆動回路はＣＰＵ１０から送られてくる制御信号にしたがって絞り４を動作させる。
絞りとは、撮影レンズ２から入ってくる光の量を制御する機構のことをいう。
【００２６】
ＣＣＤ５は、ドライバ６によって駆動され、一定周期毎に被写体像のＲＧＢ値の各色の光の強さを光電変換して撮像信号としてユニット回路８に出力する。このドライバ６、ユニット回路８の動作タイミングはＴＧ７を介してＣＰＵ１０により制御される。なお、ＣＣＤ５はベイヤー配列の色フィルターを有しており、電子シャッタとしての機能も有する。この電子シャッタのシャッタ速度は、ドライバ６、ＴＧ７を介してＣＰＵ１０によって制御される。
【００２７】
ユニット回路８には、ＴＧ７が接続されており、ＣＣＤ５から出力される撮像信号を相関二重サンプリングして保持するＣＤＳ（Correlated Double Sampling）回路、そのサンプリング後の撮像信号の自動利得調整を行なうＡＧＣ（Automatic Gain Control）回路、その自動利得調整後のアナログの撮像信号をデジタル信号に変換するＡ／Ｄ変換器から構成されており、ＣＣＤ５から出力された撮像信号はユニット回路８を経てデジタル信号として画像生成部９に送られる。
【００２８】
画像生成部９は、ユニット回路８から送られてきた画像データに対してγ補正処理、ホワイトバランス処理などの処理を施すとともに、輝度色差信号（ＹＵＶデータ）を生成し、該生成された輝度色差信号の画像データはＣＰＵ１０に送られる。つまり、画像生成部９は、ＣＣＤ５から出力された画像データに対して画像処理を施す。
【００２９】
ＣＰＵ１０は、静止画撮影処理、記録処理、画像生成部９から送られてきた画像データを記録する機能を有するとともに、デジタルカメラ１の各部を制御するワンチップマイコンである。
特に、ＣＰＵ１０は、撮影処理により得られた画像データを撮影日毎に振り分けて記録するとともに、各撮影日の代表画像となる画像ファイルの所在情報及びサムネイル画像をインデックスとして記録する機能を有する。
【００３０】
キー入力部１１は、シャッタボタン、モードキー、セットキー、十字キー、ズームキー等の複数の操作キーを含み、ユーザのキー操作に応じた操作信号をＣＰＵ１０に出力する。
メモリ１２には、ＣＰＵ１０が各部を制御するのに必要な制御プログラム、及び必要なデータが記録されており、ＣＰＵ１０は、該プログラムに従い動作する。
【００３１】
ＤＲＡＭ１３は、ＣＣＤ５によって撮像された後、ＣＰＵ１０に送られてきた画像データを一時記憶するバッファメモリとして使用されるとともに、ＣＰＵ１０のワーキングメモリとして使用される。
フラッシュメモリ１４は、撮影された画像データを保存する記録媒体である。
【００３２】
画像表示部１５は、カラーＬＣＤとその駆動回路を含み、撮影待機状態にあるときには、ＣＣＤ５によって撮像された被写体をスルー画像として表示し、画像再生時にはフラッシュメモリ１４に記録されているサムネイル画像や撮影画像データを表示させる。
【００３３】
Ｂ．デジタルカメラ１の動作
実施の形態におけるデジタルカメラ１の動作を撮影時と再生に分けて説明する。
【００３４】
Ｂ−１．撮影時のデジタルカメラ１の動作について
まず、撮影時のデジタルカメラ１の動作を図２のフローチャートに従って説明する。
【００３５】
ユーザのモードキーの操作により撮影モードに設定されると、ＣＰＵ１０は、所定のフレームレートでＣＣＤ５による撮像を開始させ、ＣＣＤ５により順次撮像され画像生成部９によって生成された輝度色差信号の画像データを画像表示部１５に表示されるという、いわゆるスルー画像表示を行う（ステップＳ１）。
次いで、ＣＰＵ１０は、シャッタボタンが押下されたか否かの判断を行う（ステップＳ２）。この判断は、シャッタボタン押下に対応する操作信号がキー入力部１１から送られてきたか否かにより判断する。
【００３６】
ステップＳ２で、シャッタボタンが押下されていないと判断するとステップＳ１に戻り、シャッタボタンが押下されたと判断すると、ＣＰＵ１０は、静止画撮影処理を行う（ステップＳ３）。つまり、ＣＣＤ４に比較的長い出力タイミングで１画面中の偶数ラインの画素信号と、奇数ラインの画素信号を順に出力させて、全画素分の画像データを読出し、画像生成部８によって生成された輝度色差信号の画像データ（撮影画像データ）をバッファメモリ（ＤＲＡＭ１３）に記憶する。
【００３７】
次いで、ＣＰＵ１０は、該撮影処理により得られた撮影画像データは、今日初めて撮影されたものであるか否かを判断する（ステップＳ４）。
ステップＳ４で、今日始めて撮影されたものであると判断されると、ＣＰＵ１０は、今日の日付に対応するフォルダを作成し、該作成したフォルダに、撮影処理により得られた撮影画像データ（バッファメモリに記憶されている撮影画像データ）に基づいて画像ファイルを生成して記録する（ステップＳ５）。この画像ファイルには、撮影日時等も記録される。なお、サムネイル画像も画像ファイルに記録させるようにしてもよい。
【００３８】
ここで図３は、フラッシュメモリ１４に記録されているフォルダのディレクトリの様子を示すものであり、「ＤＣＩＭ」以下に、例えば「ＤＡＴＥ．ＤＡＴ」というファイルの他、「１００ＺＺＺＺＺ」、「１０１ＺＺＺＺＺ」、「１０２ＺＺＺＺＺ」、・・・等といった「×××ＺＺＺＺＺ」というフォルダが記録されている。この「・・・ＺＺＺＺＺ」というフォルダが撮影日毎のフォルダである。つまり、今日初めて撮影する場合は「・・・ＺＺＺＺＺ」といフォルダを新たに作成して、そこに撮影画像データを記録する。また、新しいフォルダが生成される度に、ファイル名の「・・・ＺＺＺＺＺ」の「・・・」の数字はインクリメント、１ずつ大きくなっていく。
【００３９】
例えば、ここでは、「１００ＺＺＺＺＺ」というフォルダは、２００６年４月２日のフォルダを示し、該フォルダに記録されている「ＣＩＭＧ０００１．ＪＰＧ」〜「ＣＩＭＧ００１１．ＪＰＧ」という撮影画像データは４月２日に撮影された画像ファイルであり、「１０１ＺＺＺＺＺ」というフォルダは、２００６年４月３日のフォルダを示し、該フォルダに記録されている「ＣＩＭＧ００１２．ＪＰＧ」〜「ＣＩＭＧ０００１５．ＪＰＧ」という撮影画像データは４月３日に撮影された画像ファイルである。このように、撮影日毎にフォルダが生成され、撮影された撮影画像データの画像ファイルは、該撮影された日のフォルダに記録されることになる。尚、以下、「ＤＡＴＥ．ＤＡＴ」以外の領域をメインディレクトリ部と称する。
【００４０】
図２のフローチャートに戻り、ステップＳ５で、フォルダを作成して画像ファイルを記録すると、ＣＰＵ１０は、該記録した画像ファイルのサムネイル画像を生成し、該生成したサムネイル画像とともに、該撮影画像データの撮影日付、該記録した画像ファイルのパス名及びファイル名をそれぞれ関連付けて「ＤＡＴＥ．ＤＡＴ」というファイルにインデックスとして追加記録させる。ここで、「ＤＡＴＥ．ＤＡＴ」というファイルにインデックスとして記録されるパス名及びファイル名は、これに相当する画像ファイルの当該フラッシュメモリ１４における所在情報（アドレス情報）として記録されるものであり、画像ファイルの所在情報となっている他の付属情報がパス名及びファイル名の代わりに記録される構成となっていてもよい。
つまり、ステップＳ４で、今日初めて撮影された撮影画像データであると判断すると、該撮影画像データの画像ファイルをフラッシュメモリ１４に記録するとともに、該画像ファイルの画像を今日の日付の代表画像とすべく、該画像ファイルの所在情報（パス名及びファイル名）及びサムネイル画像をインデックスとして当該フラッシュメモリ１４内の「ＤＡＴＥ．ＤＡＴ」というファイルに追加記録させる。そして、その日初めて撮影された画像がその日の代表画像ということになる。
尚、「ＤＡＴＥ．ＤＡＴ」というファイルが当該フラッシュメモリ１４にない場合には、「ＤＡＴＥ．ＤＡＴ」というファイルが当該フラッシュメモリ１４に新たに生成される。
【００４１】
図４は、「ＤＡＴＥ．ＤＡＴ」というファイルに記録された画像ファイルのパス名等の様子を示す図である。
図を見るとわかるように、２００６/４/２の日付に撮影された撮影画像データは、パス名によりＤＣＩＭの「１００ＺＺＺＺＺ」というフォルダに記録されているのがわかり、ファイル名によりその日に最初に撮影された撮影画像データの画像ファイル名「ＣＩＭＧ０００１．ＪＰＧ」がわかる。また、画像ファイルの画像がこの日の代表画像ということになる。
【００４２】
また、２００６/４/３の日付に撮影された撮影画像データは、パス名によりＤＣＩＭの「１０１ＺＺＺＺＺ」というフォルダに記録されているのがわかり、そのファイル名によりその日に最初に撮影された撮影画像データの画像ファイル名「ＣＩＭＧ００１２．ＪＰＧ」がわかる。また、この画像ファイルの画像がこの日の代表画像ということになる。
【００４３】
一方、ステップＳ４で、今日初めて撮影されたものではないと判断すると、ＣＰＵ１０は、該撮影処理により得られた撮影画像データに基づいて画像ファイルを生成し、該生成した画像ファイルを今日の日付に対応するフォルダに記録させる（ステップＳ７）。この画像ファイルには撮影日時が記録されているのは言うまでもない。なお、サムネイル画像も画像ファイルに記録させるようにしてもよい。
【００４４】
また、ステップＳ５、ステップＳ７で、画像ファイルを生成する際にＣＰＵ１０は、ＤＣＦ規格に基づいて自動的にファイル名を付するが、このファイル名が今まで記録した画像ファイルの数に応じた番号が付される。例えば、デジタルカメラ１で初めて撮影された撮影画像データの画像ファイルを記録する場合のファイル名は、「ＣＩＭＧ０００１．ＪＰＧ」となるが、１００回目に撮影された撮影画像データの画像ファイル名は、「ＣＩＭＧ０１００.ＪＰＧ」となる。この番号により撮影日時の新古がわかる。即ち、ファイル名が撮影日時の新古情報を兼ねている。
また、ステップＳ５で、フォルダを生成する際においても、ＣＰＵ１０は、ＤＣＦ規格に基づいて自動的にフォルダ名を付する。
【００４５】
Ｂ−２．再生時のデジタルカメラ１の動作について
次に、再生時のデジタルカメラ１の動作を図５のフローチャートに従って説明する。
【００４６】
ユーザのモードキーの操作により再生モードに設定されると、ＣＰＵ１０は、フラッシュメモリ１４の「ＤＡＴＥ．ＤＡＴ」に記録されている撮影画像データのサムネイル画像を撮影日付の古い順に画像表示部１５に複数枚表示させるとともに、撮影日付も表示させる（ステップＳ５１）。これにより、当該フラッシュメモリ１４に記録されている画像ファイルの概要として、撮影日毎の代表画像が表示されることになる。
ここで、従来においては、フラッシュメモリ１４に記録されている膨大な画像ファイルの中から、代表画像となる画像ファイル、例えば、撮影日毎に一番最初に撮影記録された画像ファイルやその所在を検索して、該代表画像となる画像ファイルのサムネイル画像を読み出すことにより、各撮影日毎の代表画像をマルチ表示させていたため、各撮影日毎の代表画像となる画像ファイルやその所在の検索に時間を要し、各撮影日毎の代表画像を迅速には表示させることができなかった。しかし、本発明のように、各撮影日毎の代表画像となる画像ファイルの撮影日時及びサムネイル画像を、例えば、記録時に、「ＤＡＴＥ．ＤＡＴ」といった一つのファイルにまとめてインデックスデータとして予め記録しておき（図４参照）、再生時に、該インデックスデータとしての「ＤＡＴＥ．ＤＡＴ」を取得し、このファイルに記録されているサムネイル画像を読み出し、それを表示させる構成とすれば、当該フラッシュメモリ１４に記録されている画像ファイルの概要として撮影日毎の代表画像を迅速に表示させることができる。また、この代表画像表示のための処理にかかる負荷も低減できる。
【００４７】
インデックスデータに基づいた代表画像の表示に際しては、例えば、一番撮影日付が古いサムネイル画像及びその日付を自動的に選択するとともに、該選択したサムネイル画像等であることをユーザに視認させるため太枠で囲む。
図６（ａ）は、そのときの表示の様子を示す図であり、３枚のサムネイル画像が縦に表示されるとともに、該表示されているサムネイル画像の横に撮影日付が表示されているのがかわかり、日付が一番古い「２００６年４月２日」のサムネイル画像等が選択されているのがわかる。
【００４８】
次いで、ＣＰＵ１０は、キー入力部１１の十字キーの操作が行われたか否かを判断する（ステップＳ５２）。この判断は、キー入力部１１の十字キーの操作に対応する操作信号が送られてきたか否かにより判断する。
ステップＳ５２で、十字キーの操作が行われたと判断すると、ＣＰＵ１０は、該操作にしたがってサムネイル画像を選択して（ステップＳ５３）、ステップＳ５４に進む。例えば、図６（ａ）に示すような状態で、十字キーの「↓」キーを１回押下すると、「２００６年４月３日」のサムネイル画像データが選択され、更に、「↓」キーを押下すると図６（ｂ）に示すように「２００６年４月７日のサムネイル画像が選択される。
【００４９】
このとき、図６（ｂ）の状態で更に十字キーの操作を行なうと、図６（ｃ）に示すように、現在表示している３枚のサムネイル画像の次に撮影日時が古い３枚のサムネイル画像が撮影日時の古い順に表示されるとともに、表示している中で一番撮影日時が古いサムネイル画像が選択されることになる。
つまり、ここでは、サムネイル画像を３枚１組として表示させることになるので、まず、１〜３番目に撮影日時の古いサムネイル画像を表示させ、次には４〜６番目に撮影日時の古いサムネイル画像を表示させ、更に次には、７〜９番目、１０〜１２番目というように３枚１組で撮影日時が古いサムネイル画像が表示されていく。
【００５０】
一方、ステップＳ５２で、十字キーの操作が行われていないと判断するとそのままステップＳ５４に進む。
ステップＳ５４に進むと、ＣＰＵ１０は、セットキーの操作が行なわれたか否かを判断する。この判断は、キー入力部１１からセットキーの操作に対応する操作信号が送られてきたか否かにより判断する。
ステップＳ５４で、セットキーの操作が行われていないと判断すると、ステップＳ５２に戻り上記した動作を繰り返す。つまり、セットキーの操作を行なうまでは自由にサムネイル画像の選択を変更することができる。
【００５１】
ステップＳ５４で、セットキーの操作が行われたと判断すると、選択されているサムネイル画像に関連付けられているパス名及びファイル名に基づいて、そのサムネイル画像に対応する画像ファイルのメインディレクトリ部における所在を特定し、該特定した画像ファイルの撮影画像データを読み出して画像表示部１５に詳細表示（全面表示）させる（ステップＳ５５）。このように、各撮影日の代表画像であるサムネイル画像を任意に選択してセットキーの操作を行なうと、選択した代表画像に対応する撮影画像データを詳細表示させるので、記録されている撮影画像データのうち、選択した代表画像の撮影日に撮影された撮影画像データから詳細表示させることが可能となる。
【００５２】
例えば、図６（ａ）に示すように、「２００６年４月２日」のサムネイル画像が選択されている状態で、セットキーの操作が行なわれると、該サムネイル画像に関連付けられて「ＤＡＴＥ．ＤＡＴ」に記録されているパス名及びファイル名（図４参照、パス名：￥ＤＣＩＭ￥１００ＺＺＺＺＺ、ファイル名：ＣＩＭＧ０００１．ＪＰＧ）に基づいて、フラッシュメモリ１４に記録されている図３に示すようなディレクトリから該ファイル名の画像ファイル及びその所在を特定し、該特定した画像ファイルの撮影画像データを読み出して、画像表示部１５に表示させる。この読み出される撮影画像データの画像とセットキー操作時に選択されているサムネイル画像とは同じ画像である。つまり、インデックスデータとしての「ＤＡＴＥ．ＤＡＴ」というファイルに基づいた画像表示から、上述したような各フォルダに記録されている画像ファイル(メインディレクトリ部に記録されている画像ファイル)に基づいた画像表示に移行する。
【００５３】
次いで、ＣＰＵ１０は、十字キーの操作が行なわれたか否かを判断する（ステップＳ５６）。
ステップＳ５６で、十字キーの操作が行われたと判断すると、ＣＰＵ１０は、該操作に従って新たに表示すべき画像ファイルを所定のディレクトリに従って読み出すことにより、詳細表示させて（ステップＳ５７）、ステップＳ５８に進む。
【００５４】
例えば、十字キーの「↓」キーの操作が行なわれた場合は、該表示させている撮影画像データの次に撮影記録された画像ファイル（画像ファイル名の番号が１つ多い画像ファイル）を所定のディレクトリに基づいて特定し、該特定した画像ファイルの撮影画像データを読み出して表示させる。なお、現在表示させている撮影画像データの次に撮影された撮影画像データがない場合は、フラッシュメモリ１４に記録されている画像ファイルの中で一番撮影日時が古い（画像ファイルの番号が一番小さい）画像ファイルの撮影画像データを表示させるようにする。
【００５５】
一方、「↑」キーの操作が行なわれた場合は、該表示させている撮影画像データより１つ前に撮影記録された画像ファイル（画像ファイル名の番号が１つ少ない画像ファイル）を所定のディレクトリに基づいて特定し、該特定した画像ファイルの撮影画像データを読み出して表示させる。なお、現在表示させている撮影画像データより前に撮影された撮影画像データがない場合は、フラッシュメモリ１４に記録されている画像ファイルの中で一番撮影日時が新しい（画像ファイル名の番号が大きい）画像ファイルの撮影画像データを表示させるようにしてもよい。
【００５６】
例えば、図３に示すようにパス名「￥ＤＣＩＭ￥１００ＺＺＺＺＺ」、ファイル名「ＣＩＭＧ０００１．ＪＰＧ」の撮影画像データを表示させている場合に、「↓」キーの操作が行なわれた場合は、図３に示すディレクトリのメインディレクトリ部に基づけば、該表示させている撮影画像データの画像ファイルの次に撮影記録された画像ファイルは、「ＣＩＭＧ０００２．ＪＰＧ」の画像ファイルであるため、これを特定し、該特定した画像ファイルの撮影画像データを読み出して表示させることにより、次に撮影記録された撮影画像データを詳細表示させることになる。この場合は、現在表示させている撮影画像データの画像ファイルと次に表示される撮影画像データの画像ファイルは同じフォルダに記録されていることになる。
【００５７】
また、パス名「￥ＤＣＩＭ￥１００ＺＺＺＺＺ」、ファイル名「ＣＩＭＧ００１１．ＪＰＧ」の撮影画像データを表示させている場合に、「↓」キーの操作が行なわれた場合は、図３に示すディレクトリのメインディレクトリ部に基づけば、該表示させている撮影画像データの画像ファイルの次に撮影記録された画像ファイルは、「ＣＩＭＧ００１２．ＪＰＧ」の画像ファイルであるため、これを特定し、該特定した画像ファイルの撮影画像データを読み出して表示させることにより、次に撮影記録された撮影画像データを詳細表示させることになる。この場合は、次に表示される「ＣＩＭＧ００１２．ＪＰＧ」の画像ファイルが記録されているフォルダは、現在表示されている撮影画像データの画像ファイルが記録されているフォルダ（フォルダ名：１００ＺＺＺＺＺ）の次に生成されたフォルダ（フォルダ名：１０１ＺＺＺＺ）ということになり、次の撮影日に撮影された撮影画像データが表示させることになる。
このように詳細表示が行われると、撮影画像データを十字キーの操作にしたがって所定のディレクトリに基づいた所定の順に表示させる。
【００５８】
一方、ステップＳ５７で、十字キーの操作が行われていないと判断するとそのままステップＳ５８に進む。
ステップＳ５８に進むと、ＣＰＵ１０は、セットキーが長押しされたか否かを判断する。この判断は、セットキー押下に対応する操作信号がキー入力部１１から所定時間送られてきたか否かにより判断する。
【００５９】
ステップＳ５８で、長押しされていないと判断するとステップＳ５６に戻り上記した動作を繰り返し、長押しがされたと判断すると、「ＤＡＴＥ．ＤＡＴ」に記録されているサムネイル画像のうち、セットキー長押し直前に表示されていた（特定されていた）撮影画像データの画像ファイルのパス名と関連付けられて記録されているサムネイル画像を含む組のサムネイル画像３枚を表示させるとともに（撮影日付も含む）、該パス名と関連付けられて記録されているサムネイル画像を選択して、ステップＳ５２に進む。つまり、メインディレクトリ部に記録されている画像ファイルに基づいた画像表示から、インデックスデータとしての「ＤＡＴＥ．ＤＡＴ」に基づいた画像表示に戻る。
【００６０】
このとき、例えば、図３を参照して、セットキー長押し直前に表示させていた撮影画像データの画像ファイルのファイル名が「ＣＩＭＧ００１４．ＪＰＧ」である場合には、該画像ファイルのパス名は「￥ＤＣＩＭ￥１０１ＺＺＺＺＺ」であるので、図４に示す該画像ファイルのパス名と関連付けられているサムネイル画像、つまり、パス名「￥ＤＣＩＭ￥１０１ＺＺＺＺＺ」、ファイル名「ＣＩＭＧ００１２．ＪＰＧ」の画像ファイルに対応するサムネイル画像を含む組のサムネイル画像３枚を表示させるとともに、該ファイル名「ＣＩＭＧ００１２．ＪＰＧ」の画像ファイルに対応するサムネイル画像を選択することになる。
【００６１】
この場合には、図６（ａ）に示すようなサムネイル画像と撮影日付が表示されるとともに、該２００６年４月３のサムネイル画像が選択されることとなる。
このように、撮影画像データを詳細表示させている場合に、セットキーの長押しが行なわれると、各撮影日の代表画像を表示させるとともに、該詳細表示されていた撮影画像データの撮影日の代表画像が選択された状態となる。
【００６２】
Ｃ．このように、撮影時には、撮影日毎に異なるフォルダに撮影画像データの画像ファイルを記録させていくとともに、その撮影日の最初に撮影された撮影画像データの画像ファイル（代表画像となる画像ファイル）を記録する場合には、「ＤＡＴＡ．ＤＡＴ」というファイルに、その撮影日の最初に撮影された撮影画像データの撮影日付、及び、記録されたパス名、ファイル名及び撮影画像データのサムネイル画像をインデックスとして記録させる。これにより、再生時には、インデックスデータとしての「ＤＡＴＡ．ＤＡＴ」に基づいて、当該フラッシュメモリ１４に記録されている画像ファイルの概要を取得することができるため、各撮影日毎のフォルダにそれぞれの代表画像を読みにいくことなく、その概要として各撮影日の代表画像を迅速に表示させることができる。
【００６３】
そして、インデックスデータとしての「ＤＡＴＡ．ＤＡＴ」に基づいた再生時には、「ＤＡＴＥ．ＤＡＴ」に記録されているサムネイル画像を撮影日時の古い順に複数毎表示させていくことにより各撮影日の代表画像を表示させ、いずれか１つのサムネイル画像（代表画像）が選択されている状態で、セットキーの操作が行なわれると、該選択しているサムネイル画像（代表画像）に対応する画像ファイルの撮影画像データを、該サムネイル画像に関連付けて記録されているパス名及びファイル名に基づいて読出して表示させる。つまり、「ＤＡＴＥ．ＤＡＴ」に基づいた画像表示から、メインディレクトリ部に記録されている画像ファイルに基づいた画像表示に移行する。その後、十字キーの操作が行なわれると、該操作に従って画像ファイルの撮影画像データを詳細表示させていく。これにより、ユーザは、各撮影日の代表画像から任意に選択した代表画像を起点として、所定のディレクトリ構造に基づいた順に従って撮影画像を詳細に表示させることができる。
【００６４】
また、このときセットキーの長押しが行なわれると、メインディレクトリ部に記録されている画像ファイルに基づいた画像表示から、「ＤＡＴＥ．ＤＡＴ」に基づいた画像表示に戻る。つまり、再び「ＤＡＴＥ．ＤＡＴ」に記録されているサムネイル画像のうち、セットキーの長押し時に表示させていた撮影画像データの撮影日に対応する代表画像を選択するとともに、各撮影日の代表画像を複数表示させる。これにより、ユーザは、再び、当該フラッシュメモリ１４に記録されている画像ファイルの概要を迅速に知ることができる。
【００６５】
Ｄ．以上のように実施の形態においては、各撮影日に最初に撮影された撮影画像データの撮影日時、該撮影画像データの画像ファイルのパス名及びファイル名を「ＤＡＴＥ．ＤＡＴ」のファイル（インデックスデータ）に記録させ、該記録させたインデックスデータに基づいて各撮影日のサムネイル画像を複数枚表示させるようにしたので、各撮影日に最初に撮影された画像、つまり、各撮影日の代表画像を迅速に複数枚、或いは一覧表示させることができる。
［変形例１］
Ｅ．なお、上記実施の形態は、以下のような変形例も可能である。
【００６６】
（１）上記実施の形態においては、図４に示すように、「ＤＡＴＥ．ＤＡＴ」に各撮影日の最初に撮影された撮影画像データの撮影日付、該撮影画像データの画像ファイルのパス名、ファイル名、及び、該撮影画像データのサムネイル画像を記録するようにしたが、サムネイル画像を記録しないようにしてもよい。
この場合は、インデックスデータとしての「ＤＡＴＥ．ＤＡＴ」に記録されている所在情報としてのパス名及びファイル名に基づいて画像ファイルのメインディレクトリ部における所在を特定し、該特定した画像ファイルの撮影画像データを取得、縮小して各撮影日の代表画像として複数枚表示させるようにしてもよい。尚、予め画像ファイルに撮影画像データのサムネイル画像を記録しておき、パス名及びファイル名に基づいて画像ファイルのメインディレクトリ部における所在を特定し、該特定した画像ファイルに記録されているサムネイル画像を各撮影日の代表画像として複数枚表示するようにしてもよい。
これにより、概要としての代表画像となる画像ファイルの所在が迅速にわかり、代表画像を迅速に表示させることができる。
【００６７】
（２）また、各撮影日の最初に撮影された画像を代表画像とするようにしたが、ユーザが各撮影日毎に、撮影した画像の中で任意の画像を代表画像として指定するようにしてもよい。この場合は、該指定された画像の画像ファイルに対するパス名、ファイル名、サムネイル画像を「ＤＡＴＥ．ＤＡＴ」にインデックスとして記録させる。
【００６８】
（３）また、図２のステップＳ４で、今日始めて撮影したか否かを判断し、今日初めて撮影した場合には、新たにフォルダを作成して記録するとともに、パス名及びファイル名をインデックスとして「ＤＡＴＥ．ＤＡＴ」に記録するようにしたが、ステップＳ４では、今月初めて撮影するか否か、又は、今週初めて撮影するか否かを判断し、今月又は今週初めて撮影すると判断した場合には、新たにフォルダを作成して記録するとともに、パス名及びファイル名をインデックスとして記録するようにしてもよい。
【００６９】
つまり、撮影日毎にフォルダを作成するのではなく、撮影月毎、撮影週毎にフォルダを作成してそこに記録するようにしてもよい。
この場合は、図５のステップＳ５１、ステップＳ５９では、各撮影月、各撮影週の代表画像が表示されることになる。
更に、各撮影月のフォルダの中にその月の各撮影日のフォルダを記録し、最初は各撮影月の代表画像を表示させ、ある月の代表画像が選択されると、該選択された月の各撮影日の代表画像を表示させるようにしてもよい。
また、撮影月、撮影週に限らず、要は撮影画像データを複数のグループに分け、各グループの代表画像を複数表示させる方法であればよい。
【００７０】
（４）また、図５のステップＳ５５で、選択されているサムネイル画像に関連付けられているパス名及びファイル名に基づいて画像ファイルのメインディレクトリ部における所在を特定し、該特定した画像ファイルの撮影画像データを表示させ、ステップＳ５６で、十字キーの操作が行なわれると、該操作に従って次に表示する画像ファイルを特定し、該特定した画像ファイルの撮影画像データを表示させるようにしたが、ステップＳ５４のセットキー操作時に選択されていたサムネイル画像に関連付けられているパス名に属する画像ファイルの枠内で、該操作に従って画像ファイルを特定し、該特定した画像ファイルの撮影画像データを表示させるようにしてもよい。
【００７１】
つまり、実施の形態においては、ある日付のサムネイル画像（代表画像）を選択すると、該選択したサムネイル画像に対応する画像ファイルの撮影画像データを表示し、十字キーの操作が行われると、該操作にしたがって画像ファイルを特定し、該特定した画像ファイルの撮影画像データを表示させていくので、操作の方法や回数によっては、該選択した代表画像の日付と別の日付に撮影された撮影画像データも表示されてしまう。従って、該選択した代表画像の日付に撮影記録された画像ファイルの枠内で、画像ファイルを特定して、画像を表示するようにする。
これにより、選択した代表画像の撮影日に撮影された撮影画像のみが表示されることになる。
【００７２】
（５）また、図５のステップＳ５４で、ＳＥＴキーの操作が行なわれると、選択されているサムネイル画像（代表画像）に関連付けられているパス名及びファイル名に基づいて、サムネイル画像に対応する画像ファイルのメインディレクトリ部における所在を特定し、該特定した画像ファイルの撮影画像データを画像表示部１５に表示させるようにしたが、セットキーの操作が行われると、選択されているサムネイル画像に関連付けられて記録されているパス名に属する各画像ファイルのサムネイル画像を一覧表示させるようにしてもよい。つまり、選択した代表画像の撮影日に撮影記録された各画像ファイルのサムネイル画像を一覧表示させる。これにより、各撮影日の代表画像のうち、任意の代表画像を選択することにより、該代表画像の撮影日に撮影された画像のサムネイル画像を一覧表示させることができるので、更に検索が容易になる。そして、更に、一覧表示されたサムネイル画像の中から任意のサムネイル画像を選択すると、該選択したサムネイル画像に対応する撮影画像データを表示するようにする。
【００７３】
（６）また、デジタルカメラ１で撮影された画像ファイルに限らず、他のデジタルカメラで撮影された画像ファイルやインターネットでダウンロードした画像ファイルを撮影日毎等に振り分けてフォルダに記録し、各撮影日毎に、撮影日時が一番早い画像ファイルやユーザによって指定された画像ファイルを代表画像として、「ＤＡＴＥ．ＤＡＴ」にパス名、ファイル名などを記録させるようにしてもよい。
【００７４】
（７）また、図５のステップＳ５１、ステップＳ５９では、代表画像となるサムネイル画像を複数枚表示させるようにしたが１枚ずつ表示させるようにしてもよい。
また、ステップＳ５１、ステップＳ５９では、３枚ずつなどの複数枚、普通に表示させるようにしたが、カレンダーのように表示させるようにしてもよい。
【００７５】
（８）また、上記変形例（１）〜（７）を任意に組み合わせた態様であってもよい。
【００７６】
（９）また、上記実施の形態におけるデジタルカメラ１は、上記の実施の形態に限定されるものではなく、携帯電話、ＰＤＡ、パソコン、デジタルビデオカメラ等でもよく、画像を表示する機能を備えた機器であればよい。
【図面の簡単な説明】
【００７７】
【図１】本発明の実施の形態のデジタルカメラのブロック図である。
【図２】実施の形態のデジタルカメラ１の動作を示すフローチャートである。
【図３】本発明のフラッシュメモリ１４に記録されているフォルダのディレクトリの様子を示す図である。
【図４】インデックデータとしての「ＤＡＴＥ．ＤＡＴ」というファイルに記録されたパス名等の様子を示す図である。
【図５】実施の形態のデジタルカメラ１の動作を示すフローチャートである。
【図６】実施の形態における、各撮影日毎の代表画像であるサムネイル画像を複数枚表示されたときの様子を示すものである。
【図７】従来のフラッシュメモリ１４に記録されているフォルダのディレクトリの様子を示す図である。
【符号の説明】
【００７８】
１      デジタルカメラ
２      撮影レンズ
３      レンズ駆動ブロック
４      絞り
５      ＣＣＤ
６      ドライバ
７      ＴＧ
８      ユニット回路
９      画像生成部
１０    ＣＰＵ
１１    キー入力部
１２    メモリ
１３    ＤＲＡＭ
１４    フラッシュメモリ
１５    画像表示部
１６    バス
【図１】
2008054128.tif 000003
【図２】
2008054128.tif 000004
【図３】
2008054128.tif 000005
【図４】
2008054128.tif 000006
【図５】
2008054128.tif 000007
【図６】
2008054128.tif 000008
【図７】
2008054128.tif 000009